(57)【要約】【課題】ディスク型記録媒体にある破損部分の記録データを補完して、該ディスク型記録媒体の記録データを正常に再生すること。【解決手段】ディスク装置により、例えば光ディスクの記録データを正常に読み取れない破損部分を検出して、光ディスクから該光ディスクを識別する識別情報を取得し、破損部分を示す破損部分情報と識別情報とに基づいて、光ディスクの記録データを補完するための補完データを格納する補完データ格納サーバにアクセスして、破損部分の記録データに対応する補完データを取得し、光ディスクの記録データを読み取って再生する際に、該補完データにより破損部分の記録データを補完する。【選択図】図２
2008146789.tif 000002
【特許請求の範囲】
【請求項１】
ネットワークに接続するための通信手段を有し、光ディスクに記録されたデータを読み取って再生するディスク装置において、
光ディスクの記録データを正常に読み取れない破損部分を検出して、光ディスクから該光ディスクを識別する識別情報を取得し、
ネットワークに接続された光ディスクの記録データを補完するための補完データを格納する補完データ格納サーバと、ネットワークに接続された前記補完データの所在を探索する補完データ探索サーバとに対してネットワークを通じてアクセス可能な場合は、前記識別情報を前記補完データ探索サーバへ送信し、前記補完データ探索サーバから前記識別情報に対応する補完データの所在を示す補完データ所在情報が送信されると、該補完データ所在情報と前記破損部分を示す破損部分情報とに基づいて、前記補完データ格納サーバにアクセスして、前記破損部分の記録データに対応する補完データを取得し、
前記補完データ格納サーバと前記補完データ探索サーバとに対してネットワークを通じてアクセス不可能な場合は、前記識別情報を２次元コードの画像データに変換して、画像を表示する表示装置へ該画像データを出力し、リムーバブルな外部メモリに前記破損部分情報を記録し、外部で前記補完データ格納サーバから前記識別情報と前記破損部分情報とに基づいて取得された前記破損部分の記録データに対応する補完データが前記外部メモリに記録されて、該外部メモリが接続されると、該外部メモリから前記補完データを取得し、
光ディスクの記録データを読み取って再生する際に、前記補完データにより前記破損部分の記録データを補完することを特徴とするディスク装置。
【請求項２】
光ディスクに記録されたデータを補完するデータ補完システムであって、
ネットワークに接続するための通信手段を有し、光ディスクの記録データを読み取って再生するディスク装置と、
ネットワークに接続された光ディスクの記録データを補完するための補完データを格納する補完データ格納サーバと、
ネットワークに接続された前記補完データの所在を探索する補完データ探索サーバと、
前記補完データ格納サーバと前記補完データ探索サーバとにネットワークを通じてアクセス可能な端末装置と、
画像を表示する表示装置と、
画像を撮影する撮像装置と、
前記ディスク装置または前記端末装置に接続して、該装置により情報を読み書きできるリムーバブルな外部メモリと、を設け、
前記ディスク装置は、光ディスクの記録データを正常に読み取れない破損部分を検出して、光ディスクから該光ディスクを識別する識別情報を取得し、
前記ディスク装置が前記補完データ格納サーバと前記補完データ探索サーバとにネットワークを通じてアクセス可能な場合は、前記ディスク装置は、前記識別情報を前記補完データ探索サーバへ送信し、前記補完データ探索サーバは、前記識別情報に対応する補完データの所在を探索して、該補完データの所在を示す補完データ所在情報を前記ディスク装置に送信し、前記ディスク装置は、前記補完データ所在情報と前記破損部分を示す破損部分情報とに基づいて、前記補完データ格納サーバにアクセスして、前記破損部分の記録データに対応する補完データを取得し、
前記ディスク装置が前記補完データ格納サーバと前記補完データ探索サーバとにネットワークを通じてアクセス不可能な場合は、前記ディスク装置は、前記識別情報を２次元コードの画像データに変換して、該画像データを前記表示装置へ出力し、前記破損部分情報を接続された前記外部メモリに記録し、前記表示装置は、前記画像データに基づいて前記２次元コード画像を表示し、前記撮像装置は、前記２次元コード画像を撮影して、該撮影画像データを前記端末装置へ出力し、前記端末装置は、前記撮影画像データから前記識別情報を検出して前記補完データ探索サーバへ送信し、接続された前記外部メモリから前記破損部分情報を取得し、前記補完データ探索サーバは、前記識別情報に対応する補完データの所在を探索して、該補完データの所在を示す補完データ所在情報を前記端末装置に送信し、前記端末装置は、前記補完データ所在情報と前記破損部分情報とに基づいて、前記補完データ格納サーバにアクセスして、前記破損部分の記録データに対応する補完データを取得し、該補完データを接続された前記外部メモリに記録し、前記ディスク装置は、接続された前記外部メモリから前記補完データを取得し、
前記ディスク装置は、光ディスクの記録データを読み取って再生する際に、前記補完データにより前記破損部分の記録データを補完することを特徴とするデータ補完システム。
【請求項３】
光ディスクに記録されたデータを補完するデータ補完方法であって、
ネットワークに接続するための通信手段を有し、光ディスクの記録データを読み取って再生するディスク装置により、光ディスクの記録データを正常に読み取れない破損部分を検出して、光ディスクから該光ディスクを識別する識別情報を取得し、
ネットワークに接続された光ディスクの記録データを補完するための補完データを格納する補完データ格納サーバと、ネットワークに接続された前記補完データの所在を探索する補完データ探索サーバとに、前記ディスク装置がネットワークを通じてアクセス可能な場合は、前記ディスク装置により前記識別情報を前記補完データ探索サーバへ送信し、前記補完データ探索サーバにより、前記識別情報に対応する補完データの所在を探索して、該補完データの所在を示す補完データ所在情報を前記ディスク装置に送信し、前記ディスク装置により、前記補完データ所在情報と前記破損部分を示す破損部分情報とに基づいて、前記補完データ格納サーバにアクセスして、前記破損部分の記録データに対応する補完データを取得し、
前記補完データ格納サーバと前記補完データ探索サーバとに前記ディスク装置がネットワークを通じてアクセス不可能な場合は、リムーバブルな外部メモリを前記ディスク装置に接続して、前記ディスク装置により、前記識別情報を２次元コードの画像データに変換して、画像を表示する表示装置へ前記画像データを出力し、前記破損部分情報を前記外部メモリに記録し、前記表示装置により前記画像データに基づいて前記２次元コード画像を表示し、画像を撮影する撮像装置により、前記２次元コード画像を撮影して、該撮影画像データを前記補完データ格納サーバと前記補完データ探索サーバとにアクセス可能な端末装置へ出力し、前記外部メモリを前記端末装置に接続して、前記端末装置により、前記撮影画像データから前記識別情報を検出して前記補完データ探索サーバへ送信し、前記外部メモリから前記破損部分情報を取得し、前記補完データ探索サーバにより、前記識別情報に対応する補完データの所在を探索して、該補完データの所在を示す補完データ所在情報を前記端末装置に送信し、前記端末装置により、前記補完データ所在情報と前記破損部分情報とに基づいて、前記補完データ格納サーバにアクセスして、前記破損部分の記録データに対応する補完データを取得し、該補完データを前記外部メモリに記録し、該外部メモリを前記ディスク装置に接続して、前記ディスク装置により該外部メモリから前記補完データを取得し、
前記ディスク装置により、光ディスクの記録データを読み取って再生する際に、前記補完データにより前記破損部分の記録データを補完することを特徴とするデータ補完方法。
【請求項４】
ネットワークに接続するための通信手段を有し、ディスク型記録媒体に記録されたデータを読み取って再生するディスク装置において、
ディスク型記録媒体の記録データを正常に読み取れない破損部分を検出した場合に、前記ディスク型記録媒体を識別する識別情報と、前記破損部分を示す破損部分情報とに基づいて、ネットワークに接続された前記ディスク型記録媒体の記録データを補完するための補完データを格納する補完データ格納装置から、前記破損部分の記録データを補完するための補完データを取得し、
前記ディスク型記録媒体の記録データを読み取って再生する際に、前記補完データにより前記破損部分の記録データを補完することを特徴とするディスク装置。
【請求項５】
請求項４に記載のディスク装置において、
ネットワークに接続された前記補完データの所在を探索する補完データ探索装置にアクセスして、前記ディスク型記録媒体の前記識別情報に対応する前記補完データの所在を示す補完データ所在情報を取得し、該補完データ所在情報と前記破損部分情報とに基づいて前記補完データ格納装置にアクセスして、前記破損部分の記録データに対応する前記補完データを取得することを特徴とするディスク装置。
【請求項６】
請求項４に記載のディスク装置において、
前記ディスク型記録媒体の前記識別情報に対応する前記補完データの所在を示す補完データ所在情報を前記ディスク型記録媒体から読み取って取得し、該補完データ所在情報と前記破損部分情報とに基づいて前記補完データ格納装置にアクセスして、前記破損部分の記録データに対応する前記補完データを取得することを特徴とするディスク装置。
【請求項７】
請求項４ないし請求項６のいずれかに記載のディスク装置において、
前記ディスク型記録媒体とは別のリムーバブルな記録媒体を接続し、該リムーバブル記録媒体に対して情報を読み書きするための読書手段を有し、
前記読書手段に接続された前記リムーバブル記録媒体に、前記ディスク型記録媒体の前記識別情報と前記破損部分情報と前記補完データとを互いに関連づけて記録することを特徴とするディスク装置。
【請求項８】
請求項４または請求項５に記載のディスク装置において、
前記ディスク型記録媒体とは別のリムーバブルな記録媒体を接続し、該リムーバブル記録媒体に対して情報を読み書きするための読書手段を有し、
ネットワークを通じて他の装置にアクセス不可能な場合に、前記ディスク型記録媒体の前記識別情報と前記破損部分情報とを外部へ出力し、
外部で前記識別情報と前記破損部分情報とに基づいて前記補完データ格納装置から取得された前記破損部分の記録データに対応する前記補完データを、外部から前記リムーバブル記録媒体を介して取得することを特徴とするディスク装置。
【請求項９】
ディスク型記録媒体に記録されたデータを読み取って再生するディスク装置において、
ディスク型記録媒体の記録データを正常に読み取れない破損部分を検出した場合に、前記ディスク型記録媒体を識別する識別情報と、前記破損部分を示す破損部分情報とを外部へ出力し、
外部で前記識別情報と前記破損部分情報とに基づいてディスク型記録媒体の記録データを補完するための補完データを格納する補完データ格納装置から取得された、前記破損部分の記録データを補完するための補完データを、外部から取得し、
前記ディスク型記録媒体の記録データを読み取って再生する際に、前記補完データにより前記破損部分の記録データを補完することを特徴とするディスク装置。
【請求項１０】
請求項８または請求項９に記載のディスク装置において、
前記ディスク型記録媒体の前記識別情報を、または前記識別情報と前記破損部分情報とを、該情報を特定するコードを含むコード画像データに変換して外部へ出力することを特徴とするディスク装置。
【請求項１１】
請求項１０に記載のディスク装置において、
前記コード画像データに基づく画像は、位置と形状により情報を特定するコードを含む画像であることを特徴とするディスク装置。
【請求項１２】
請求項１１に記載のディスク装置において、
前記コード画像データに基づく画像は、２次元コードを含む画像であることを特徴とするディスク装置。
【請求項１３】
請求項１１に記載のディスク装置において、
前記コード画像データに基づく画像は、バーコードを含む画像であることを特徴とするディスク装置。
【請求項１４】
請求項１０に記載のディスク装置において、
前記コード画像データに基づく画像は、位置と色により情報を特定するコードを含む画像であることを特徴とするディスク装置。
【請求項１５】
ディスク型記録媒体に記録されたデータを補完するデータ補完システムであって、
ディスク型記録媒体の記録データを読み取って再生するディスク装置と、
ネットワークに接続されたディスク型記録媒体の記録データを補完するための補完データを格納する補完データ格納装置と、を設け、
前記ディスク装置は、ネットワークに接続するための通信手段を有し、ディスク型記録媒体の記録データを正常に読み取れない破損部分を検出した場合に、前記ディスク型記録媒体を識別する識別情報と、前記破損部分を示す破損部分情報とに基づいて、ネットワークに接続された前記ディスク型記録媒体の記録データを補完するための補完データを格納する補完データ格納装置から、前記破損部分の記録データを補完するための補完データを取得し、前記ディスク型記録媒体の記録データを読み取って再生する際に、前記補完データにより前記破損部分の記録データを補完することを特徴とするデータ補完システム。
【請求項１６】
請求項１５に記載のデータ補完システムにおいて、
ネットワークに接続された前記補完データの所在を探索する補完データ探索装置を設け、
前記ディスク装置は、前記補完データ探索装置にアクセスして、前記ディスク型記録媒体の前記識別情報に対応する前記補完データの所在を示す補完データ所在情報を取得し、該補完データ所在情報と前記破損部分情報とに基づいて前記補完データ格納装置にアクセスして、前記破損部分の記録データに対応する前記補完データを取得することを特徴とするデータ補完システム。
【請求項１７】
請求項１５または請求項１６に記載のデータ補完システムにおいて、
前記ディスク装置は、前記ディスク型記録媒体とは別のリムーバブルな記録媒体を接続し、該リムーバブル記録媒体に対して情報を読み書きするための読書手段を有し、ネットワークを通じて他の装置にアクセス不可能な場合に、前記ディスク型記録媒体の前記識別情報と前記破損部分情報とを外部へ出力し、
外部で前記識別情報と前記破損部分情報とに基づいて前記補完データ格納装置から取得された前記破損部分の記録データを補完するための補完データを、外部から前記リムーバブル記録媒体を介して取得することを特徴とするデータ補完システム。
【請求項１８】
ディスク型記録媒体に記録されたデータを補完するデータ補完システムであって、
ディスク型記録媒体の記録データを読み取って再生するディスク装置と、
ディスク型記録媒体の記録データを補完するための補完データを格納する補完データ格納装置と、
前記補完データ格納装置にアクセス可能な端末装置と、を設け、
前記ディスク装置は、ディスク型記録媒体の記録データを正常に読み取れない破損部分を検出した場合に、前記ディスク型記録媒体を識別する識別情報と、前記破損部分を示す破損部分情報とを外部へ出力し、
前記端末装置は、前記識別情報と前記破損部分情報とを外部から取得し、該識別情報と破損部分情報とに基づいて、前記破損部分の記録データを補完するための補完データを前記補完データ格納装置から取得し、該補完データを外部へ出力し、
前記ディスク装置は、前記補完データを外部から取得し、前記ディスク型記録媒体の記録データを読み取って再生する際に、前記補完データにより前記破損部分の記録データを補完することを特徴とするデータ補完システム。
【請求項１９】
請求項１８に記載のデータ補完システムにおいて、
前記補完データの所在を探索する補完データ探索装置を設け、
前記端末装置は、前記補完データ探索装置にアクセスして、前記ディスク型記録媒体の前記識別情報に対応する前記補完データの所在を示す補完データ所在情報を取得し、該補完データ所在情報と前記破損部分情報とに基づいて前記補完データ格納装置にアクセスして、前記破損部分の記録データに対応する前記補完データを取得することを特徴とするデータ補完システム。
【請求項２０】
請求項１８または請求項１９に記載のデータ補完システムにおいて、
前記ディスク型記録媒体とは別のリムーバブルな記録媒体を設け、
前記端末装置と前記ディスク装置は、前記リムーバブル記録媒体を接続し、該リムーバブル記録媒体に対して情報を読み書きするための読書手段を有し、
前記端末装置は、前記補完データ格納装置から取得した前記補完データを前記リムーバブル記録媒体に記録し、
前記ディスク装置は、接続された前記リムーバブル記録媒体から前記補完データを読み取ることを特徴とするデータ補完システム。
【請求項２１】
請求項２０に記載のデータ補完システムにおいて、
画像を表示する表示装置と、
画像を撮影する撮像装置と、を設け、
前記ディスク装置は、前記リムーバブル記録媒体を接続し、該リムーバブル記録媒体に対して情報を読み書きするための読書手段を有し、前記ディスク型記録媒体の前記識別情報を該情報を特定するコードを含むコード画像データに変換して前記表示装置へ出力し、前記破損部分情報を前記リムーバブル記録媒体に記録し、
前記表示装置は、前記コード画像データに基づいて画像を表示し、
前記撮像装置は、前記表示装置に表示された前記画像を撮影して、該撮影画像データを外部へ出力し、
前記端末装置は、前記撮影画像データを外部から取得して、該撮影画像データから前記識別情報を検出し、前記リムーバブル記録媒体から前記破損部分情報を取得することを特徴とするデータ補完システム。
【請求項２２】
請求項１８ないし請求項２０のいずれかに記載のデータ補完システムにおいて、
画像を表示する表示装置と、
画像を撮影する撮像装置と、を設け、
前記ディスク装置は、前記ディスク型記録媒体の前記識別情報と前記破損部分情報とを該情報を特定するコードを含むコード画像データに変換して前記表示装置へ出力し、
前記表示装置は、前記コード画像データに基づいて画像を表示し、
前記撮像装置は、前記表示装置に表示された前記画像を撮影して、該撮影画像データを外部へ出力し、
前記端末装置は、前記撮影画像データを外部から取得して、該撮影画像データから前記識別情報と前記破損部分情報とを検出することを特徴とするデータ補完システム。
【請求項２３】
ディスク型記録媒体に記録されたデータを補完するデータ補完方法であって、
ネットワークに接続するための通信手段を有し、ディスク型記録媒体の記録データを読み取って再生するディスク装置により、ディスク型記録媒体の記録データを正常に読み取れない破損部分を検出した場合に、前記ディスク型記録媒体を識別する識別情報と、前記破損部分を示す破損部分情報とに基づいて、ネットワークに接続された前記ディスク型記録媒体の記録データを補完するための補完データを格納する補完データ格納装置から、前記破損部分の記録データを補完するための補完データを取得し、前記ディスク型記録媒体の記録データを読み取って再生する際に、前記補完データにより前記破損部分の記録データを補完することを特徴とするデータ補完方法。
【請求項２４】
請求項２３に記載のデータ補完方法において、
前記ディスク装置により、ネットワークに接続された前記補完データの所在を探索する補完データ探索装置にアクセスして、前記ディスク型記録媒体の前記識別情報に対応する前記補完データの所在を示す補完データ所在情報を取得し、該補完データ所在情報と前記破損部分情報とに基づいて前記補完データ格納装置から、前記破損部分の記録データに対応する前記補完データを取得することを特徴とするデータ補完方法。
【請求項２５】
請求項２３または請求項２４に記載のデータ補完方法において、
前記ディスク装置によりネットワークを通じて他の装置にアクセス不可能な場合に、前記ディスク型記録媒体の前記識別情報と前記破損部分情報とを前記ディスク装置から外部へ出力し、
外部で前記識別情報と前記破損部分情報とに基づいて前記補完データ格納装置から取得された前記破損部分の記録データを補完するための補完データを、リムーバブルなリムーバブル記録媒体に記録し、
前記リムーバブル記録媒体を前記ディスク装置に接続して、前記ディスク装置により前記リムーバブル記録媒体から前記補完データを読み取ることを特徴とするデータ補完方法。
【請求項２６】
ディスク型記録媒体に記録されたデータを補完するデータ補完方法であって、
ディスク型記録媒体の記録データを読み取って再生するディスク装置により、ディスク型記録媒体の記録データを正常に読み取れない破損部分を検出した場合に、前記ディスク型記録媒体を識別する識別情報と、前記破損部分を示す破損部分情報とを外部へ出力し、
前記ディスク型記録媒体の記録データを補完するための補完データを格納する補完データ格納装置にアクセス可能な端末装置により、前記識別情報と前記破損部分情報とを外部から取得し、該識別情報と破損部分情報とに基づいて、前記破損部分の記録データを補完するための補完データを前記補完データ格納装置から取得し、該補完データを外部へ出力し、
前記ディスク装置により、前記補完データを外部から取得して、前記ディスク型記録媒体の記録データを読み取って再生する際に、前記補完データにより前記破損部分の記録データを補完することを特徴とするデータ補完方法。
【請求項２７】
請求項２６に記載のデータ補完方法において、
前記端末装置により、前記補完データの所在を探索する補完データ探索装置にアクセスして、前記ディスク型記録媒体の前記識別情報に対応する前記補完データの所在を示す補完データ所在情報を取得し、該補完データ所在情報と前記破損部分情報とに基づいて前記補完データ格納装置にアクセスして、前記破損部分の記録データに対応する前記補完データを取得することを特徴とするデータ補完方法。
【請求項２８】
請求項２６または請求項２７に記載のデータ補完方法において、
前記ディスク型記録媒体とは別のリムーバブルな記録媒体を前記端末装置に接続して、前記端末装置により前記補完データ格納装置から取得した前記補完データを前記リムーバブル記録媒体に記録し、該リムーバブル記録媒体を前記ディスク装置に接続して、前記ディスク装置により該リムーバブル記録媒体から前記補完データを読み取ることを特徴とするデータ補完方法。
【請求項２９】
請求項２８に記載のデータ補完方法において、
前記リムーバブル記録媒体を前記ディスク装置に接続して、前記ディスク装置により、前記ディスク型記録媒体の前記識別情報を該情報を特定するコードを含むコード画像データに変換して画像を表示する表示装置へ出力し、前記破損部分情報を前記リムーバブル記録媒体に記録し、
前記表示装置により前記コード画像データに基づいて画像を表示し、
画像を撮影する撮像装置により、前記表示装置に表示された前記画像を撮影して、該撮影画像データを外部へ出力し、
前記リムーバブル記録媒体を前記端末装置に接続して、前記端末装置により、前記撮影画像データを外部から取得して、該撮影画像データから前記識別情報を検出し、前記リムーバブル記録媒体から前記破損部分情報を取得することを特徴とするデータ補完方法。
【請求項３０】
請求項２６ないし請求項２８のいずれかに記載のデータ補完方法において、
前記ディスク装置により、前記ディスク型記録媒体の前記識別情報と前記破損部分情報とを該情報を特定するコードを含むコード画像データに変換して画像を表示する表示装置へ出力し、
前記表示装置により前記コード画像データに基づいて画像を表示し、
画像を撮影する撮像装置により、前記表示装置に表示された前記画像を撮影して、該撮影画像データを外部へ出力し、
前記端末装置により、前記撮影画像データを外部から取得して、該撮影画像データから前記識別情報と前記破損部分情報とを検出することを特徴とするデータ補完方法。
【発明の詳細な説明】
【技術分野】
【０００１】
本発明は、ディスク型記録媒体に記録されたデータを補完するディスク装置、データ補完システム、およびデータ補完方法に関するものである。
【背景技術】
【０００２】
光ディスク等のディスク型記録媒体に記録された映像や音声等のデータを、光学的または磁気的に読み取って再生するディスク装置がある。ディスク型記録媒体に傷や欠陥等がある場合、ディスク装置はそのディスク型記録媒体の該当する部分の記録データを正常に読み取って再生できなくなる。
【０００３】
上記読み取りエラーの対策として、下記の特許文献１および特許文献２では、光磁気ディスクやハードディスク等のディスク型記録媒体に欠陥セクタが存在する場合に、該欠陥セクタの代替先となる代替セクタを同一ディスク内または別のメモリ等に設けている。そして、ディスク型記録媒体にデータを記録する際に、欠陥セクタに記録するデータを代替セクタに記録している。また、ディスク型記録媒体からデータを再生する際に、代替セクタに記録されているデータをアクセス速度の速いメモリ等に記録し、該メモリからデータを読み取って、欠陥セクタに対応するデータを補完している。
【０００４】
また、下記の特許文献３では、映像データの画素単位で複数のハードディスクを切り替え、各ハードディスクに対し画素単位で映像データの記録または読み出しを行う。そして、いずれかのハードディスクに対する記録または読み出しについて障害が発生すると、障害が発生したハードディスクから読み出される画素単位の映像データを、該画素の前後や周囲の、障害が発生していないハードディスクから読み出された画素の映像データにより補間し、該補間した映像データと障害が発生していないハードディスクから読み出された映像データとをもとに、映像データを復元している。
【０００５】
【特許文献１】特開平８−１６７２５０号公報
【特許文献２】特開２００２−１５０６９９号公報
【特許文献３】特開平１１−３１７９２８号公報
【発明の開示】
【発明が解決しようとする課題】
【０００６】
上述した特許文献１〜３の装置では、ディスク型記録媒体の記録データが当該装置で記録したデータでない場合、ディスク型記録媒体にデータを正常に読み取れない破損部分があると、該破損部分の記録データを補完するデータをディスク型記録媒体や代替セクタやメモリ等に保持していないため、記録データを正常に再生できなくなる。
【０００７】
本発明は、上述した問題点を解決するものであって、その課題とするところは、ディスク型記録媒体にある破損部分の記録データを補完して、該ディスク型記録媒体の記録データを正常に再生することにある。
【課題を解決するための手段】
【０００８】
本発明に係るディスク装置、データ補完システム、およびデータ補完方法では、ディスク装置が、ネットワークに接続するための通信手段を有し、ディスク型記録媒体に記録されたデータを読み取って再生し、ディスク型記録媒体の記録データを正常に読み取れない破損部分を検出した場合に、ディスク型記録媒体を識別する識別情報と、破損部分を示す破損部分情報とに基づいて、ネットワークに接続されたディスク型記録媒体の記録データを補完するための補完データを格納する補完データ格納装置から、破損部分の記録データを補完するための補完データを取得し、ディスク型記録媒体の記録データを読み取って再生する際に、補完データにより破損部分の記録データを補完する。これにより、ディスク型記録媒体の記録データがディスク装置で記録されたデータでなくても、ディスク装置により、ネットワークを通じて補完データ格納装置からディスク型記録媒体の破損部分の記録データに対応する補完データを取得し、該補完データで破損部分の記録データを補完して、ディスク型記録媒体の記録データを正常かつ円滑に再生することができる。また、ディスク型記録媒体の全記録データではなく、破損部分の記録データだけを補完する必要最低限の補完データを、補完データ格納装置からディスク装置に取得するので、ディスク装置と補完データ格納装置のデータ通信時間を短く抑えつつ通信データ量を少なく抑えることが可能となる。
【０００９】
また、本発明では、ディスク装置により、ネットワークに接続された補完データの所在を探索する補完データ探索装置にアクセスして、ディスク型記録媒体の識別情報に対応する補完データの所在を示す補完データ所在情報を取得し、該補完データ所在情報とディスク型記録媒体の破損部分情報とに基づいて補完データ格納装置にアクセスして、ディスク型記録媒体の破損部分の記録データに対応する補完データを取得する。これにより、補完データ格納装置の設置数やハードウエアとソフトウエアの構成に影響を受けず、ディスク装置でディスク型記録媒体の破損部分の検出時に、該破損部分の記録データに対応する補完データの所在が分からなくても、補完データ探索装置から取得した補完データ所在情報と、ディスク型記録媒体の破損部分情報とから、該補完データの所在を常に正しく把握して、該補完データを確実に取得することができる。
【００１０】
また、本発明では、上記以外に、ディスク装置により、ディスク型記録媒体の識別情報に対応する補完データの所在を示す補完データ所在情報をディスク型記録媒体から読み取って取得する。これにより、ユーザ個人がデータを記録したディスク型記録媒体を作成したため、該ディスク型記録媒体の破損部分の記録データに対応する補完データの所在が補完データ探索装置で分からない場合や、補完データ探索装置を省略したシステム構成にした場合等にも、該ディスク型記録媒体を作成した装置以外のディスク装置で、該補完データの所在を常に正しく把握して、該補完データを補完データ格納装置から確実に取得し、該補完データで破損部分の記録データを補完して、ディスク型記録媒体の記録データを正常かつ円滑に再生することができる。
【００１１】
また、本発明では、ディスク型記録媒体とは別のリムーバブルな記録媒体を接続し、該リムーバブル記録媒体に対して情報を読み書きするための読書手段をディスク装置に設けて、読書手段に接続されたリムーバブル記録媒体に、ディスク型記録媒体の識別情報と破損部分情報と補完データとを互いに関連づけて記録する。これにより、リムーバブル記録媒体にディスク型記録媒体の識別情報と破損部分情報と補完データとを記録したディスク装置以外のディスク装置でも、該ディスク型記録媒体を装着して、該リムーバブル記録媒体を接続することで、該リムーバブル記録媒体から読み取った補完データにより該ディスク型記録媒体の破損部分の記録データを補完して、記録データを正常かつ円滑に再生することができる。
【００１２】
また、本発明では、ディスク装置により、ネットワークを通じて他の装置にアクセス不可能な場合に、ディスク型記録媒体の識別情報と破損部分情報とを外部へ出力し、外部で識別情報と破損部分情報とに基づいて補完データ格納装置から取得された破損部分の記録データに対応する補完データを、外部からリムーバブル記録媒体を介して取得する。これにより、ディスク装置をネットワークに接続できない場所に設置した場合や、ディスク装置をネットワークに不意に接続できなくなった場合等でも、外部の他の装置によりディスク型記録媒体の破損部分の記録データに対応する補完データを補完データ格納装置から取得してリムーバブル記録媒体に記録した後、該リムーバブル記録媒体をディスク装置に接続して、ディスク装置により該リムーバブル記録媒体から補完データを読み取り、該補完データ破損部分の記録データを補完して、該ディスク型記録媒体の記録データを正常かつ円滑に再生することができる。
【００１３】
また、他の本発明に係るディスク装置、データ補完システム、およびデータ補完方法では、ディスク型記録媒体に記録されたデータを読み取って再生するディスク装置により、ディスク型記録媒体の記録データを正常に読み取れない破損部分を検出した場合に、ディスク型記録媒体の識別情報と破損部分情報とを外部へ出力し、外部で該識別情報と破損部分情報とに基づいてディスク型記録媒体の記録データを補完するための補完データを格納する補完データ格納装置から取得された、破損部分の記録データを補完するための補完データを、外部から取得する。一例としては、補完データ格納装置にアクセス可能な端末装置により、上記ディスク装置から出力されたディスク型記録媒体の識別情報と破損部分情報とを外部から取得し、該識別情報と破損部分情報とに基づいて、ディスク型記録媒体の破損部分の記録データを補完するための補完データを補完データ格納装置から取得して、該補完データを外部へ出力し、ディスク装置により該補完データを外部から取得する。そして、ディスク装置により、ディスク型記録媒体の記録データを読み取って再生する際に、該補完データにより破損部分の記録データを補完する。これにより、ディスク型記録媒体の記録データがディスク装置で記録されたデータでなく、ディスク装置と補完データ格納装置等からネットワークに接続するための通信手段を省いた場合でも、ディスク型記録媒体の破損部分の記録データに対応する補完データを、補完データ格納装置から外部の端末装置等を介してディスク装置に取得し、ディスク装置により該補完データで破損部分の記録データを補完して、ディスク型記録媒体の記録データを正常に再生することができる。また、ディスク型記録媒体の破損部分の記録データだけを補完する必要最低限の補完データを、補完データ格納装置から端末装置等を介してディスク装置に取得するので、装置間のデータ通信時間を短く抑えつつ通信データ量を少なく抑えることが可能となる。
【００１４】
また、他の発明では、端末装置により、補完データの所在を探索する補完データ探索装置にアクセスして、ディスク型記録媒体の識別情報に対応する補完データの所在を示す補完データ所在情報を取得し、該補完データ所在情報とディスク型記録媒体の破損部分情報とに基づいて補完データ格納装置にアクセスして、ディスク型記録媒体の破損部分の記録データに対応する補完データを取得する。これにより、補完データ格納装置の設置数やハードウエアとソフトウエアの構成に影響を受けず、端末装置でディスク型記録媒体の識別情報と破損部分情報の取得時に、該破損部分の記録データに対応する補完データの所在が分からなくても、補完データ探索装置から取得した補完データ所在情報と、ディスク型記録媒体の破損部分情報とから、該補完データの所在を常に正しく把握して、該補完データを確実に取得することができる。
【００１５】
また、他の発明では、リムーバブル記録媒体を端末装置に接続して、端末装置により補完データ格納装置から取得した補完データをリムーバブル記録媒体に記録し、該リムーバブル記録媒体をディスク装置に接続して、ディスク装置により該リムーバブル記録媒体から補完データを読み取る。これにより、ディスク装置と端末装置とがデータ通信不可能でも、補完データ格納装置から端末装置に取得した補完データを、端末装置からリムーバブル記録媒体を介してディスク装置に取得することができる。
【００１６】
また、他の発明では、リムーバブル記録媒体をディスク装置に接続して、ディスク装置により、ディスク型記録媒体の破損部分情報をリムーバブル記録媒体に記録し、識別情報を該情報を特定するコードを含むコード画像データに変換して外部へ出力する。一例としては、コード画像データをディスク装置から画像を表示する表示装置へ出力する。そして、表示装置によりコード画像データに基づいて画像を表示し、画像を撮影する撮像装置により、表示装置に表示された画像を撮影して、該撮影画像データを外部へ出力し、リムーバブル記録媒体を端末装置に接続して、端末装置により、撮影画像データを外部から取得して、該撮影画像データから識別情報を検出し、リムーバブル記録媒体から破損部分情報を取得する。また、上記以外に、ディスク装置により、ディスク型記録媒体の識別情報と破損部分情報とを該情報を特定するコードを含むコード画像データに変換して表示装置へ出力し、表示装置によりコード画像データに基づいて画像を表示し、撮像装置により表示装置に表示された画像を撮影して、該撮影画像データを外部へ出力し、端末装置により、撮影画像データを外部から取得して、該撮影画像データから識別情報と破損部分情報とを検出する。これにより、ディスク装置と端末装置とが相互にデータ通信不可能であっても、ディスク型記録媒体の識別情報や破損部分情報を、ディスク装置から表示装置と撮像装置またはリムーバブル記録媒体を介して端末装置に取得することができる。つまり、補完データ格納装置にアクセス不可能なディスク装置から、補完データ格納装置にアクセス可能な端末装置へ、ディスク型記録媒体の破損部分の記録データに対応する補完データを取得するためのディスク型記録媒体の識別情報と破損部分情報とを確実に引き渡すことができる。このため、端末装置により、ディスク型記録媒体の破損部分の記録データだけを補完する必要最低限の補完データのみを、補完データ格納装置から確実に取得することが可能となる。
【００１７】
また、他の発明では、上記コード画像データに基づく画像は、位置と形状により情報を特定する２次元コードやバーコード等を含む画像である。これにより、ディスク装置から出力されたコード画像データに基づく画像を、表示装置等に表示して、撮像装置等で撮影した後、端末装置等で該撮影画像からディスク型記録媒体の識別情報や破損部分情報を容易に検出することができる。特に、上記画像がＱＲコード（登録商標）等の２次元コードを含む場合は、広く普及している２次元コードを読み取り可能なカメラ付き携帯電話機により、該画像を撮影して、該撮影画像からディスク型記録媒体の識別情報や破損部分情報を容易に検出することができる。また、上記画像がバーコードを含む場合は、バーコードは２次元コード等より認識技術が易しいため、バーコードを認識する端末装置等の構成を簡単にして、コストを低く抑えることができる。これら以外に、上記画像が位置と色により情報を特定するカラーコード等を含む場合は、カラーコードは２次元コードやバーコード等より情報量が多いので、画像のサイズを小さくしたり、含める情報の量や種類を増やしたりすることが容易にできる。
【００１８】
さらに、本発明の典型的な実施形態に係るディスク装置、データ補完システム、およびデータ補完方法では、ネットワークに接続するための通信手段を有し、光ディスクの記録データを読み取って再生するディスク装置により、光ディスクの記録データを正常に読み取れない破損部分を検出して、光ディスクから該光ディスクを識別する識別情報を取得する。そして、ネットワークに接続された光ディスクの記録データを補完するための補完データを格納する補完データ格納サーバと、ネットワークに接続された補完データの所在を探索する補完データ探索サーバとに、ディスク装置がネットワークを通じてアクセス可能な場合は、ディスク装置により識別情報を補完データ探索サーバへ送信し、補完データ探索サーバにより、識別情報に対応する補完データの所在を探索して、該補完データの所在を示す補完データ所在情報をディスク装置に送信し、ディスク装置により、補完データ所在情報と破損部分を示す破損部分情報とに基づいて、補完データ格納サーバにアクセスして、破損部分の記録データに対応する補完データを取得する。一方、補完データ格納サーバと補完データ探索サーバとにディスク装置がネットワークを通じてアクセス不可能な場合は、リムーバブルな外部メモリをディスク装置に接続して、ディスク装置により、識別情報を２次元コードの画像データに変換して、画像を表示する表示装置へ画像データを出力し、破損部分情報を外部メモリに記録し、表示装置により前記画像データに基づいて２次元コード画像を表示し、画像を撮影する撮像装置により、２次元コード画像を撮影して、該撮影画像データを補完データ格納サーバと補完データ探索サーバとにアクセス可能な端末装置へ出力し、外部メモリを端末装置に接続して、端末装置により、撮影画像データから識別情報を検出して補完データ探索サーバへ送信し、外部メモリから破損部分情報を取得し、補完データ探索サーバにより、識別情報に対応する補完データの所在を探索して、該補完データの所在を示す補完データ所在情報を端末装置に送信し、端末装置により、補完データ所在情報と破損部分情報とに基づいて、補完データ格納サーバにアクセスして、破損部分の記録データに対応する補完データを取得し、該補完データを外部メモリに記録し、該外部メモリをディスク装置に接続して、ディスク装置により該外部メモリから補完データを取得する。この後、ディスク装置により、光ディスクの記録データを読み取って再生する際に、補完データにより破損部分の記録データを補完する。
【００１９】
上記により、光ディスクの記録データがディスク装置で記録されたデータでなくても、補完データ格納サーバから光ディスクの破損部分の記録データに対応する補完データを取得し、ディスク装置により、該補完データで破損部分の記録データを補完して、光ディスクの記録データを正常かつ円滑に再生することができる。また、ディスク装置が補完データ格納サーバと補完データ探索サーバにアクセス可能な場合は、ディスク装置により、光ディスクの識別情報と破損部分情報等に基づいて、補完データ格納サーバから破損部分の記録データに対応する補完データだけを直接取得することができ、ディスク装置と補完データ格納サーバのデータ通信時間を短く抑えつつ通信データ量を少なく抑えることが可能となる。また、ディスク装置が補完データ格納サーバと補完データ探索サーバにアクセス不可能な場合は、ディスク装置と端末装置とが相互にデータ通信不可能であっても、光ディスクの識別情報をディスク装置から表示装置と撮像装置とを介して端末装置に取得し、かつ破損部分情報をディスク装置から外部メモリを介して端末装置に取得することができる。そして、端末装置により、該識別情報と破損部分情報とに基づいて、補完データ探索サーバと補完データ格納サーバにアクセスして、補完データ格納サーバから破損部分の記録データに対応する補完データだけを取得し、該補完データを端末装置から外部メモリを介してディスク装置に取得することができ、端末装置と補完データ格納サーバの間および外部メモリと端末装置またはディスク装置の間のデータ通信時間を短く抑えつつ通信データ量を少なく抑えることが可能となる。
【発明の効果】
【００２０】
本発明によれば、ディスク型記録媒体の記録データがディスク装置で記録されたデータでなくても、ディスク型記録媒体の破損部分情報と識別情報とに基づいて、補完データ格納装置からディスク型記録媒体の破損部分の記録データに対応する補完データを取得し、ディスク装置により、該補完データで破損部分の記録データを補完して、ディスク型記録媒体の記録データを正常に再生することができる。
【発明を実施するための最良の形態】
【００２１】
図１は、本発明の実施形態に係るデータ補完システムの構成図である。ディスク装置１は、例えばハードディスクを内蔵したＤＶＤレコーダから構成されている。光ディスク２は、ディスク型記録媒体の一例であり、例えばＤＶＤから構成されている。表示装置３は、例えばテレビジョン受像機から構成されている。ディスク装置１と表示装置３は、ケーブル等で接続されている。ディスク装置１は、ディスクドライブと信号処理回路等から成る再生部１ａと、モデムまたはネットワークカード等から成る通信部１ｂと、ＵＳＢ接続端子とＵＳＢインタフェイス等から成る読書部１ｃ等を有している。ディスク装置１は、光ディスク２が本体内に装着されると、再生部１ａにより光ディスク２に記録された映像や音声等のデータを読み取って再生し、該再生した映像信号と音声信号を表示装置３へ出力する。表示装置３は、ディスク装置１から入力された映像信号に基づいて、ディスプレイに映像を表示し、ディスク装置１から入力された音声信号に基づいて、内蔵するスピーカから音声を出力する。
【００２２】
補完データ格納サーバ４は、内蔵する記憶装置に設けられた格納領域に、光ディスク２の記録データを補完する補完データを格納している。補完データ格納サーバ４は、図１では１台しか図示していないが、複数台設けられていてもよい。補完データ探索サーバ５は、内蔵する記憶装置に設けられた管理領域に、各光ディスク２に対応する補完データの所在を記憶して管理している。補完データ探索サーバ５は、管理領域の記憶内容より、補完データの所在を探索する。補完データの所在とは、補完データを格納している補完データ格納サーバ４のアドレスのことである。なお、補完データ格納サーバ４を１台だけ設けた場合は、補完データ探索サーバ５を省略してもよい。また、補完データ探索機能を補完データ格納サーバ４に付与して、補完データ探索サーバ５を省略してもよい。
【００２３】
端末装置６は、例えばパーソナルコンピュータから構成されている。補完データ格納サーバ４、補完データ探索サーバ５、および端末装置６は、インターネットやローカルエリアネットワークやホームネットワーク等のネットワークにそれぞれ接続されている。補完データ探索サーバ５は内蔵するネットワークカードまたはモデム等により、ネットワークを通じて補完データ格納サーバ４にアクセスする。端末装置６は、内蔵するネットワークカードまたはモデム等により、ネットワークを通じて補完データ格納サーバ４と補完データ探索サーバ５にアクセスする。補完データ探索サーバ５と端末装置６は、図示しないメールサーバを経由して、電子メールを送受信する。なお、補完データ探索サーバ５を省略した場合は、補完データ格納サーバ４と端末装置６が、メールサーバを経由して、電子メールを送受信するようにすればよい。ディスク装置１は、通信部１ｂによってネットワークに接続されて、補完データ格納サーバ４と補完データ探索サーバ５にアクセス可能になる。
【００２４】
撮像装置７は、例えばデジタルスチルカメラから構成されている。撮像装置７は、画像を撮影してデジタル化し、内蔵するメモリまたは本体内に装着された外部メモリ８に記録する。端末装置６は、撮像装置７とケーブル等で接続されることで、内蔵するインタフェイスにより、撮像装置７の内蔵メモリまたは撮像装置７に装着された外部メモリ８から、データを読み取り可能になる。外部メモリ８は、光ディスク２とは別のリムーバブルな記録媒体の一例であって、例えばＵＳＢフラッシュメモリから構成されている。端末装置６と撮像装置７は、ＵＳＢ接続端子とＵＳＢインタフェイス等を有していて、これらにより本体内に装着された外部メモリ８を接続し、該外部メモリ８に対して情報を読み書き可能になる。ディスク装置１には、読書部１ｃにより、外部メモリ８を接続し、該外部メモリ８に対して情報を読み書き可能になる。
【００２５】
図２は、本発明の実施形態に係るデータ補完方法の手順を示すフローチャートである。ディスク装置１は、光ディスク２の記録データを再生中に、新たな破損部分を検出すると（ステップＳ１）、光ディスク２から該光ディスク２を識別するための識別情報を読み取って取得する（ステップＳ２）。識別情報は、例えば光ディスク２のＩＤ、製造番号、メーカ、記録データのタイトル等の少なくとも１つであり、光ディスク２を特定できる情報であればよい。識別情報は、例えば光ディスク２の属性情報記録領域に記録されている。ステップＳ１、Ｓ２は、ディスク装置１が、ユーザの操作を受けて行うようにしてもよいが、自動的に行うようにする方が好ましい。
【００２６】
ステップＳ２の後、ディスク装置１がネットワークを通じて補完データ格納サーバ４と補完データ探索サーバ５にアクセス可能な場合は（ステップＳ３：ＹＥＳ）、補完データ直接取得を行う（ステップＳ４）。図３は、図２のステップＳ４の補完データ直接取得方法の手順を示すフローチャートである。ディスク装置１は、光ディスク２の識別情報に対応する補完データの所在を示す補完データ所在情報を、内蔵するメモリやハードディスク等の記憶部に記録して取得済みか否かを判定する（ステップＳ１１）。ディスク装置１は、該補完データ所在情報を取得済みであれば（ステップＳ１１：ＹＥＳ）、該補完データ所在情報と光ディスク２の破損部分を示す破損部分情報とに基づいて、補完データ格納サーバ４にアクセスし、破損部分の記録データに対応する補完データが格納されていれば、該補完データを読み取って取得し、該補完データと破損部分情報とを補完データ所在情報と識別情報とに対応づけて記憶部に記録する（ステップＳ１６）。
【００２７】
上記に対して、ディスク装置１は、光ディスク２の識別情報に対応する補完データ所在情報を取得済みでなければ（ステップＳ１１：ＮＯ）、識別情報を補完データ探索サーバ５へ送信する（ステップＳ１２）。補完データ探索サーバ５のアドレスは、光ディスク２に記録されていてもよいし、ディスク装置１が内蔵する記憶部に記録されていてもよい。補完データ探索サーバ５は、ディスク装置１から識別情報を受信すると、該識別情報に対応する補完データの所在を探索して、見つかれば、該所在を示す補完データ所在情報をディスク装置１に送信して通知し、見つからなければ、該補完データが無いことをディスク装置１に通知する（ステップＳ１３）。ディスク装置１は、補完データ探索サーバ５から補完データ所在情報を受信して取得すると（ステップＳ１４：ＹＥＳ）、該補完データ所在情報と識別情報とを対応づけて記憶部に記録する（ステップＳ１５）。そして、ディスク装置１は、該補完データ所在情報と破損部分情報とに基づいて、補完データ格納サーバ４にアクセスし、破損部分の記録データに対応する補完データが格納されていれば、該補完データを取得し、該補完データと破損部分情報とを補完データ所在情報と識別情報とに対応づけて記憶部に記録する（ステップＳ１６）。ステップＳ１１〜Ｓ１６は、ディスク装置１または補完データ探索サーバ５が、ユーザの操作を受けて行うようにしてもよいが、自動的に行うようにする方が好ましい。
【００２８】
一方、図２のステップＳ３で、ディスク装置１をネットワークに接続できない場所に設置したためや、ディスク装置１を通信部１ｂによりネットワークに不意に接続できなくなったため等の理由により、ディスク装置１がネットワークを通じて補完データ格納サーバ４と補完データ探索サーバ５にアクセス不可能な場合は（ステップＳ３：ＮＯ）、補完データ間接取得を行う（ステップＳ５）。図４は、図２のステップＳ５の補完データ間接取得方法の手順を示すフローチャートである。ディスク装置１は、光ディスク２の識別情報に対応する補完データ所在情報を取得済みか否かを判定する（ステップＳ２１）。ディスク装置１は、該補完データ所在情報を取得済みであれば（ステップＳ２１：ＹＥＳ）、該補完データ所在情報と光ディスク２の破損部分情報とを、装着されている外部メモリ８に記録する（ステップＳ３２）。この後、ユーザが外部メモリ８をディスク装置１から取り出して端末装置６に装着すると、端末装置６は外部メモリ８から補完データ所在情報と破損部分情報とを読み取って取得する（ステップＳ３３）。そして、端末装置６は、補完データ所在情報と破損部分情報とに基づいて、補完データ格納サーバ４にアクセスし、破損部分の記録データに対応する補完データが格納されていれば、該補完データを取得して、補完データ所在情報と破損部分情報とに対応づけて外部メモリ８に記録する（ステップＳ３４）。この後、ユーザが外部メモリ８を端末装置６から取り出してディスク装置１に装着すると、ディスク装置１は外部メモリ８から補完データを読み出して取得し、該補完データと破損部分情報とを補完データ所在情報と識別情報とに対応づけて記憶部に記録する（ステップＳ３５）。
【００２９】
上記に対して、ディスク装置１は、光ディスク２の識別情報に対応する補完データ所在情報を取得済みでなければ（ステップＳ２１：ＮＯ）、識別情報をＱＲコード等の２次元コードの画像データに変換して、該画像データを表示装置３へ出力する（ステップＳ２２）。すると、表示装置３は、該画像データに基づいて２次元コード画像を表示する（ステップＳ２３）。そして、ユーザが撮像装置７により、該２次元コード画像を撮影して、該撮影画像データをケーブル等を介して端末装置６に出力する（ステップＳ２４）。この他、撮像装置７で２次元コードの撮影画像データを外部メモリ８に記録した後、外部メモリ８を撮像装置７から取り出して端末装置６に装着し、端末装置６で外部メモリ８から撮影画像データを読み取って取得するようにしてもよい。
【００３０】
端末装置６は、２次元コードの撮影画像データを取得すると、該撮影画像データから光ディスク２の識別情報を検出して、該識別情報を電子メールまたは直接データ通信等により補完データ探索サーバ５へ送信する（ステップＳ２５）。補完データ探索サーバ５のアドレスは、ディスク装置１が内蔵する記憶部に記録されていてもよいし、ディスク装置１が生成した２次元コードに含まれていてもよい。補完データ探索サーバ５は、端末装置６から識別情報を受信すると、該識別情報に対応する補完データの所在を探索して、見つかれば、該所在を示す補完データ所在情報を端末装置６に送信して通知し、見つからなければ、該補完データが無いことを端末装置６に通知する（ステップＳ２６）。端末装置６は、補完データ探索サーバ５から補完データ所在情報を受信して取得すると（ステップＳ２７：ＹＥＳ）、該補完データ所在情報と識別情報とを対応づけて外部メモリ８に記録する（ステップＳ２８）。
【００３１】
この後、ユーザが外部メモリ８を端末装置６から取り出してディスク装置１に装着すると、ディスク装置１は、外部メモリ８から光ディスク２の識別情報を読み取り、該識別情報と光ディスク２から読み取った識別情報とが一致していれば、外部メモリ８から補完データ所在情報を読み取って取得し、該補完データ所在情報と識別情報とを対応づけて記憶部に記録する（ステップＳ２９）。さらに、ディスク装置１は、光ディスク２の破損部分情報を補完データ所在情報に対応づけて外部メモリ８に記録する（ステップＳ３０）。この後、ユーザが外部メモリ８をディスク装置１から取り出して端末装置６に装着すると、端末装置６は、外部メモリ８から破損部分情報を読み取って取得する（ステップＳ３１）。そして、端末装置６は、補完データ所在情報と破損部分情報とに基づいて、補完データ格納サーバ４にアクセスし、破損部分の記録データに対応する補完データが格納されていれば、該補完データを取得し、該補完データを補完データ所在情報と破損部分情報とに対応づけて外部メモリ８に記録する（ステップＳ３４）。この後、ユーザが外部メモリ８を端末装置６から取り出してディスク装置１に装着すると、ディスク装置１は外部メモリ８から補完データを読み出して取得し、該補完データと破損部分情報とを補完データ所在情報と識別情報とに対応づけて記憶部に記録する（ステップＳ３５）。ステップＳ２１〜Ｓ２３、Ｓ２５〜Ｓ３５は、ディスク装置１、表示装置３、補完データ探索サーバ５、または端末装置６が、ユーザの操作を受けて行うようにしてもよいが、自動的に行うようにする方が好ましい。
【００３２】
上記のように補完データを取得した後、ディスク装置１は、光ディスク２の記録データを読み取って再生する際に（図２のステップＳ６）、検出済みの破損部分に到達すると（ステップＳ７：ＹＥＳ）、該破損部分の記録データに対応する補完データを取得済みであれば（ステップＳ８：ＹＥＳ）、該補完データにより破損部分の記録データを補完する（ステップＳ９）。そして、ディスク装置１は、光ディスク２の記録データの再生が続く限り（ステップＳ１０：ＮＯ）、自動的にステップＳ７〜Ｓ１０を繰り返し行う。
【００３３】
図４では、光ディスク２の識別情報をディスク装置１で２次元コード化して、該２次元コード画像を表示装置４で表示した例を挙げたが、これ以外に、予め光ディスク２の識別情報を２次元コード化して、光ディスク２の表面または説明書等にプリントしておいてもよい。この場合の補完データ間接取得方法は、図５に示すように、ディスク装置１で光ディスク２の識別情報に対応する補完データ所在情報を取得済みでなければ（ステップＳ２１：ＮＯ）、光ディスク２等にプリントされている該光ディスク２の識別情報を示す２次元コードを、撮像装置７で撮影して、該撮影画像データを端末装置６に出力する（ステップＳ４０）。このようにすると、端末装置６から表示装置３への２次元コード画像データの出力、および表示装置３での２次元コード画像の表示を省略することができる。また、表示装置３自体を省略することができる。図５では、図４と同一ステップには同一符号を付している。
【００３４】
以上では、別体の端末装置６と撮像装置７とを用いた例を挙げたが、これに代えて、図６に示すようにカメラ付き携帯端末装置９を用いてもよい。カメラ付き携帯端末装置９は、例えば電子カメラ付きの携帯電話機、簡易端末装置（ＰＤＡ）、またはノート型のパーソナルコンピュータ等から構成されていて、ＱＲコード等の２次元コードを認識する機能を有している。この場合の補完データ間接取得方法は、図７に示すように、光ディスク２の識別情報を示す２次元コード画像が表示装置３に表示されると（ステップＳ２３）、カメラ付き携帯端末装置９で、該２次元コード画像を撮影し（ステップＳ４１）、該撮影画像データから識別情報を検出して補完データ探索サーバ５へ送信する（ステップＳ４２）。そして、補完データ探索サーバ５が探索した補完データの所在を示す補完データ所在情報を通知すると（ステップＳ４３）、カメラ付き携帯端末装置９で、該補完データ所在情報を取得して（ステップＳ４４：ＹＥＳ）、補完データ所在情報と識別情報とを対応づけて外部メモリ８に記録する（ステップＳ４５）。また、ディスク装置１で破損部分情報が外部メモリ８に記録された後（ステップＳ３０）、外部メモリ８がカメラ付き携帯端末装置９に装着されると、カメラ付き携帯端末装置９で外部メモリ８から破損部分情報を読み取って取得する（ステップＳ４６）。また、ディスク装置１で補完データ所在情報と破損部分情報とが外部メモリ８に記録された後（ステップＳ３２）、外部メモリ８がカメラ付き携帯端末装置９に装着されると、カメラ付き携帯端末装置９で外部メモリ８から補完データ所在情報と破損部分情報とを読み取って取得する（ステップＳ４７）。そして、カメラ付き携帯端末装置９で、補完データ所在情報と破損部分情報とに基づいて、補完データ格納サーバ４にアクセスし、破損部分の記録データに対応する補完データが格納されていれば、該補完データを取得し、該補完データを補完データ所在情報と破損部分情報とに対応づけて外部メモリ８に記録する（ステップＳ４８）。このようにすると、データ補完システムの構成装置数を減少させることができる。図７では、図４と同一ステップには同一符号を付している。
【００３５】
図４では、光ディスク２の識別情報だけをディスク装置１で２次元コードの画像データに変換して外部へ出力した例を挙げたが、これ以外に、光ディスク２の識別情報とともに破損部分情報もディスク装置１で、該情報を特定する２次元コード、バーコード、またはカラーコード等のコードを含むコード画像データに変換して外部へ出力するようにしてもよい。２次元コードとバーコードは、位置と形状により情報を特定するコードの一例である。カラーコードは、位置と色により情報を特定するコードの一例である。この場合の補完データ間接取得方法は、図８に示すように、ディスク装置１で、光ディスク２の識別情報に対応する補完データ所在情報を取得済みでなければ（ステップＳ２１：ＮＯ）、識別情報と破損部分情報とを２次元コード、バーコード、またはカラーコード等のコード画像データに変換して、表示装置３へ出力する（ステップＳ５１）。そして、表示装置３で該コード画像データに基づいてコード画像を表示し（ステップＳ５２）、撮像装置７で該コード画像を撮影して、該撮影画像データを端末装置６に出力した後（ステップＳ５３）、端末装置６で該撮影画像データから識別情報と破損部分情報とを検出して、識別情報を補完データ探索サーバ５へ送信する（ステップＳ５４）。この後、端末装置６で、補完データ探索サーバ５から送信された補完データ所在情報を取得し（ステップＳ２７：ＹＥＳ）、補完データ所在情報と破損部分情報とに基づいて、補完データ格納サーバ４にアクセスし、破損部分の記録データに対応する補完データが格納されていれば、該補完データを取得する（ステップＳ５５）。そして、端末装置６で、取得した補完データと補完データ所在情報と識別情報と破損部分情報とを対応づけて外部メモリ８に記録する（ステップＳ５６）。この後、外部メモリ８が端末装置６から取り出されてディスク装置１に装着されると、ディスク装置１で、外部メモリ８から識別情報と破損部分情報とを読み取り、該識別情報と破損部分情報とが光ディスク２から読み取った識別情報と破損部分情報とにそれぞれ一致していれば、外部メモリ８から補完データと補完データ所在情報とを読み取って取得し、該補完データと補完データ所在情報とを識別情報と破損部分情報とに対応づけて記憶部に記録する（ステップＳ５７）。このようにすると、ディスク装置１と端末装置６に対する外部メモリ８の着脱回数を減少させることができる。図８では、図４と同一ステップには同一符号を付している。
【００３６】
図５では、光ディスク２の識別情報だけを２次元コード化して光ディスク２等にプリントした例を挙げたが、これ以外に、光ディスク２の識別情報に対応する補完データの所在を示す補完データ所在情報も２次元コード化、バーコード化、またはカラーコード化等して、光ディスク２等にプリントしておいてもよい。この場合の補完データ間接取得方法は、図９に示すように、ディスク装置１で光ディスク２の識別情報に対応する補完データ所在情報を取得済みでなければ（ステップＳ２１：ＮＯ）、光ディスク２等にプリントされている該光ディスク２の識別情報とこれに対応する補完データ所在情報を示す２次元コード、バーコード、またはカラーコード等のコードを、撮像装置７で撮影して、該撮影画像データを端末装置６に出力する（ステップＳ６０）。そして、端末装置６で該撮影画像データから識別情報と補完データ所在情報とを検出する（ステップＳ６１）。このようにすると、端末装置６から補完データ探索サーバ５への識別情報の送信、補完データ探索サーバ５での識別情報に対応する補完データの探索、および補完データ探索サーバ５から端末装置６への補完データ所在情報の送信を省略することができる。また、補完データ探索サーバ５自体を省略することができる。図９では、図４と同一ステップには同一符号を付している。
【００３７】
図４では、光ディスク２の識別情報を２次元コード化して、ディスク装置１から端末装置６に取得した例を挙げたが、これ以外に、図１０に示すように、表示装置３と撮像装置７とを省略して、ディスク装置１と端末装置６とがＩＥＥＥ１３９４等のインタフェイスとホームネットワーク等を介して相互にデータ通信可能な場合は、識別情報をディスク装置１から端末装置６にネットワークを通じて直接取得し、相互にデータ通信不可能な場合は、識別情報をディスク装置１から端末装置６に外部メモリ８を介して間接的に取得するようにしてもよい。この場合の補完データ間接取得方法は、図１１に示すように、ディスク装置１で、光ディスク２の識別情報に対応する補完データ所在情報を取得済みでなければ（ステップＳ２１：ＮＯ）、識別情報と破損部分情報とをディスク装置１から端末装置６にネットワークを通じて直接または外部メモリ８を介して間接的に取得する（ステップＳ７１）。そして、識別情報を端末装置６から補完データ探索サーバ５へ送信する（ステップＳ７２）。この後、端末装置６で、補完データ探索サーバ５から補完データ所在情報を取得し（ステップＳ２７：ＹＥＳ）、補完データ所在情報と破損部分情報とに基づいて、補完データ格納サーバ４にアクセスし、破損部分の記録データに対応する補完データが格納されていれば、該補完データを取得する（ステップＳ７３）。そして、補完データと補完データ所在情報と識別情報と破損部分情報とを、端末装置６からディスク装置１に直接または間接的に取得する（ステップＳ７４）。また、ディスク装置１で光ディスク２の識別情報に対応する補完データ所在情報を取得済みであれば（ステップＳ２１：ＹＥＳ）、補完データ所在情報と破損部分情報とをディスク装置１から端末装置６に直接または間接的に取得する（ステップＳ７５）。そして、端末装置６で、補完データ所在情報と破損部分情報とに基づいて、補完データ格納サーバ４にアクセスし、破損部分の記録データに対応する補完データが格納されていれば、該補完データを取得する（ステップＳ７６）。さらに、補完データと補完データ所在情報と破損部分情報とを、端末装置６からディスク装置１に直接または間接的に取得する（ステップＳ７７）。そして、ディスク装置１で、補完データと補完データ所在情報と識別情報と破損部分情報とを対応づけて記憶部に記録する（ステップＳ７８）。このようにすると、データ補完システムの構成装置数を減少させることができる。図１１では、図４と同一ステップには同一符号を付している。
【００３８】
また、図３では、ディスク装置１で光ディスク２の識別情報に対応する補完データ所在情報を補完データ探索サーバ５から取得した例を挙げたが、これ以外に、光ディスク２に映像や音声等のデータと識別情報等を記録するときに、該記録データを補完するための補完データの所在を示す補完データ所在情報も光ディスク２に記録しておき、ディスク装置１で該光ディスク２から該補完データ所在情報を読み取って取得するようにしてもよい。この場合の補完データ直接取得方法は、図１２に示すように、ディスク装置１で光ディスク２の識別情報に対応する補完データ所在情報を取得済みではないが（ステップＳ１１：ＮＯ）、該補完データ所在情報が光ディスク２に記録されていて、ディスク装置１で光ディスク２から該補完データ所在情報を読み取って取得できれば（ステップＳ８０：ＹＥＳ）、該補完データ所在情報と光ディスク２の破損部分情報とに基づいて、補完データ格納サーバ４にアクセスし、格納されている破損部分の記録データに対応する補完データを取得して、該補完データと破損部分情報とを補完データ所在情報と光ディスク２の識別情報とに対応づけて記憶部に記録する（ステップＳ１６）。また、補完データ所在情報が光ディスク２に記録されていない等の理由により、ディスク装置１で光ディスク２から補完データ所在情報を読み取って取得できなければ（ステップＳ８０：ＮＯ）、ステップＳ１２、Ｓ１３の後、ステップＳ１４で補完データ探索サーバ５からディスク装置１に補完データ所在情報を取得する。そして、ステップＳ１５の後、ステップＳ１６で該補完データ所在情報と破損部分情報とに基づいて、補完データ格納サーバ４から破損部分の記録データに対応する補完データを取得する。図１２では、図３と同一ステップには同一符号を付している。ステップＳ８０は、図４〜図９および図１１に示した補完データ間接取得方法のフローチャートのステップＳ２１の直後に挿入するようにしてもよい。その場合、ディスク装置１で光ディスク２から取得した補完データ所在情報を端末装置６へ送り、端末装置６で該補完データ所在情報と破損部分情報とに基づいて、補完データ格納サーバ４から破損部分の記録データに対応する補完データを取得するようにすればよい。
【００３９】
以上のようにすることで、光ディスク２の記録データがディスク装置１で記録されたデータでなくても、補完データ格納サーバ４から光ディスク２の破損部分の記録データに対応する補完データを取得し、ディスク装置１により、該補完データで破損部分の記録データを補完して、光ディスク２の記録データを正常かつ円滑に再生することができる。また、ディスク装置１が補完データ格納サーバ４と補完データ探索サーバ５とにアクセス可能な場合は、ディスク装置１により、光ディスク２の識別情報と破損部分情報等に基づいて、補完データ格納サーバ４から光ディスク２の破損部分の記録データに対応する補完データを直接取得することができる。また、ディスク装置１が補完データ格納サーバ４と補完データ探索サーバ５とにアクセス不可能な場合は、端末装置６、９により、光ディスク２の識別情報と破損部分情報等を取得して、該情報等に基づいて補完データ格納サーバ４から破損部分の記録データに対応する補完データを取得した後、該補完データを端末装置６からディスク装置１に外部メモリ８を介してまたは直接取得することができる。さらに、光ディスク２の全記録データではなく、破損部分の記録データだけを補完する必要最低限の補完データを、装置１、４、６、８間で転送するので、装置１、４、６、８間でのデータ通信時間を短く抑えつつ通信データ量を少なく抑えることが可能となる。
【００４０】
また、補完データ探索サーバ５から補完データ所在情報を取得することで、補完データ格納サーバ４の設置数やハードウエアとソフトウエアの構成に影響を受けず、ディスク装置１で光ディスク２の破損部分の検出時や、端末装置６で光ディスク２の識別情報や破損部分情報の取得時に、該破損部分の記録データに対応する補完データの所在が分からなくても、補完データ探索サーバ５から取得した補完データ所在情報と破損部分情報とから、該補完データの所在を常に正しく把握して、該補完データを確実に補完データ格納サーバ４から取得することができる。
【００４１】
また、ディスク装置により光ディスク２から補完データ所在情報を読み取って取得することで、ユーザ個人がデータを記録した光ディスク２を作成したため、該光ディスク２の破損部分の記録データに対応する補完データの所在が補完データ探索サーバ５で分からない場合や、補完データ探索サーバ５を省略したシステム構成にした場合等にも、該光ディスク２を作成した装置以外のディスク装置１や端末装置６で、該補完データの所在を常に正しく把握して、該補完データを補完データ格納サーバ４から確実に取得し、該補完データで破損部分の記録データを補完して、該光ディスク２の記録データを正常かつ円滑に再生することができる。
【００４２】
また、ディスク装置１に接続された外部メモリ８に、光ディスク２の識別情報と破損部分情報と補完データとを互いに関連づけて記録することで、該記録を行ったディスク装置１以外のディスク装置１でも、該光ディスク２を装着して、該外部メモリ８を接続することで、該外部メモリ８から読み取った補完データにより該光ディスク２の破損部分の記録データを補完して、該光ディスク２を正常かつ円滑に再生することができる。
【００４３】
また、補完データ格納サーバ４にアクセス不可能なディスク装置１と、補完データ格納サーバ４にアクセス可能な端末装置６とが相互にデータ通信不可能であっても、光ディスク２の識別情報、破損部分情報、補完データ所在情報、または補完データを、装置１、６間で表示装置３や撮像装置７や外部メモリ８を用いて間接的にまたは直接確実に引き渡すことができる。このため、端末装置６により、光ディスク２の破損部分の記録データだけを補完する必要最低限の補完データのみを、補完データ格納サーバ４から確実に取得することが可能となる。また、ディスク装置１により、補完データで光ディスク２の破損部分の記録データを確実に補完して、該光ディスク２を正常かつ円滑に再生することが可能となる。また、上記情報を装置１、６間で直接やり取りすることで、他の装置３、７、８の操作にかかる手間を省き、データ補完システムの構成装置数を減少させることができる。
【００４４】
また、光ディスク２の識別情報、破損部分、または補完データ所在情報を、２次元コード、バーコード、またはカラーコード等にコード化して、該コード画像を表示装置３に表示したり光ディスク２等にプリントしたりすることで、該コードを撮像装置７やカメラ付き携帯端末装置９等で撮影した後、端末装置６、９等で該撮影画像から識別情報、破損部分、または補完データ所在情報を容易に検出することができる。特に、識別情報等をＱＲコード等の２次元コード化した場合は、広く普及している２次元コードを読み取り可能なカメラ付き携帯電話機により、該コード画像を撮影して、該撮影画像から識別情報等を容易に検出することができる。また、識別情報等をバーコード化した場合は、バーコードは２次元コード等より認識技術が易しいため、バーコードを認識する端末装置６等の構成を簡単にして、コストを低く抑えることができる。さらに、識別情報等をカラーコード化した場合は、カラーコードは２次元コードやバーコード等より情報量が多いので、コード画像のサイズを小さくしたり、含める情報の量や種類を増やしたりすることが容易にできる。
【００４５】
さらに、光ディスク２の識別情報と破損部分情報または補完データ所在情報をコード化して、該コード画像を装置７、９で撮影することで、端末装置６、９により該撮影画像から光ディスク２の識別情報と破損部分情報または補完データ所在情報を一度に取得して、補完データ格納サーバ４から破損部分の記録データに対応する補完データを容易かつ迅速に取得することが可能となる。
【００４６】
本発明は、以上の実施形態以外にも種々の形態を採用することができる。例えば、以上の実施形態では、ＤＶＤから成る光ディスク２の破損部分の記録データを補完した例を挙げたが、これ以外に、例えばブルーレイディスク等の他の光ディスクやハードディスクや磁気ディスクや光磁気ディスク等のような、ディスク型の記録媒体の破損部分の記録データを補完するようにしてもよい。
【００４７】
また、以上の実施形態では、テレビジョン受像機から成る表示装置３と、デジタルスチルカメラから成る撮像装置７とを用いた例を挙げたが、これに代えて、プロジェクタ等から成る表示装置と、デジタルビデオカメラやカメラ付き携帯電話機等から成る撮像装置を用いてもよい。
【００４８】
また、以上の実施形態では、ＵＳＢフラッシュメモリから成る外部メモリ８を、補完対象の記録媒体とは別の記録媒体として用いた例を挙げたが、これに代えて、ＳＤ（登録商標）カード等の小型のメモリカードやカード型のハードディスクやディスク型の記録媒体等を用いてもよい。
【００４９】
また、以上の実施形態では、補完データ直接取得方法と補完データ間接取得方法の両方を行えるディスク装置１を例に挙げたが、これ以外に、補完データ直接取得方法と補完データ間接取得方法のいずれか一方を行えるディスク装置としてもよい。補完データ間接取得方法だけを行えるディスク装置では、ネットワークに接続するための通信手段を省略しても、光ディスクの破損部分の記録データに対応する補完データを外部から取得し、該補完データで破損部分の記録データを補完して、光ディスクの記録データを正常かつ円滑に再生することができ、通信手段を省略した分コストを低く抑えることが可能となる。
【００５０】
さらに、以上の実施形態では、ハードディスク内蔵ＤＶＤレコーダから成るディスク装置１に本発明を適用した例を挙げたが、これ以外に、ＤＶＤプレーヤ、ＤＶＤ以外の光ディスクのプレーヤやレコーダ、ハードディスクレコーダ、光磁気ディスクのプレーヤやレコーダ、若しくはこれらの複合機、またはこれらとテレビやビデオデッキ等との複合機等のような、ディスク装置にも本発明を適用することができる。
【図面の簡単な説明】
【００５１】
【図１】データ補完システムの構成図である。
【図２】データ補完方法の手順を示すフローチャートである。
【図３】補完データ直接取得方法の手順を示すフローチャートである。
【図４】補完データ間接取得方法の手順を示すフローチャートである。
【図５】他の補完データ間接取得方法の手順を示すフローチャートである。
【図６】他のデータ補完システムの構成図である。
【図７】他の補完データ間接取得方法の手順を示すフローチャートである。
【図８】他の補完データ間接取得方法の手順を示すフローチャートである。
【図９】他の補完データ間接取得方法の手順を示すフローチャートである。
【図１０】他のデータ補完システムの構成図である。
【図１１】他の補完データ間接取得方法の手順を示すフローチャートである。
【図１２】他の補完データ直接取得方法の手順を示すフローチャートである。
【符号の説明】
【００５２】
１  ディスク装置
２  光ディスク
３  表示装置
４  補完データ格納サーバ
５  補完データ探索サーバ
６  端末装置
７  撮像装置
８  外部メモリ
９  カメラ付き携帯端末装置
【図１】
2008146789.tif 000003
【図２】
2008146789.tif 000004
【図３】
2008146789.tif 000005
【図４】
2008146789.tif 000006
【図５】
2008146789.tif 000007
【図６】
2008146789.tif 000008
【図７】
2008146789.tif 000009
【図８】
2008146789.tif 000010
【図９】
2008146789.tif 000011
【図１０】
2008146789.tif 000012
【図１１】
2008146789.tif 000013
【図１２】
2008146789.tif 000014